(57)【要約】【課題】高力ボルトの頭部自体で座金効果を発揮させて、座金の省略化とボルト首下長さの短寸化を可能にし、頭部強度を高めながら緩め時には押えを可能にする。【解決手段】高力ボルト１と六角ナット２と平座金３とからなる高力ボルト・六角ナット・平座金のセットにおける高力ボルト１の頭部１ａを、平面視十二角形状とすると共に、その下部に円形のフランジ部１ｂを一体形成し、かつ、頭部１ａの高さ寸法ｈ１とフランジ部１ｂの厚みｔとの和がねじのＪＩＳ規格に規定される本来の頭部高さＨ寸法とほぼ同寸となるように形成した。【選択図】図１
0003174138.tif 000002
【実用新案登録請求の範囲】
【請求項１】
高力ボルトと六角ナットと平座金とからなる高力ボルト・六角ナット・平座金のセットであって、上記高力ボルトは、その頭部が平面視十二角形状に形成されていると共に、該頭部下部に円形のフランジ部が一体形成されており、かつ、上記頭部の高さ寸法ｈ１とフランジ部の厚みｔとの和が、ねじのＪＩＳ規格に規定される本来の頭部高さＨ寸法とほぼ同寸となるように形成されていることを特徴とする高力ボルト・六角ナット・平座金のセット。
【請求項２】
高力ボルトにおけるねじ部の先端に破断溝を介してピンテールが突設されていることを特徴とする請求項１記載の高力ボルト・六角ナット・平座金のセット。
【考案の詳細な説明】
【技術分野】
【０００１】  本考案は、高力ボルト・六角ナット・平座金のセットに関する。
【背景技術】
【０００２】  鉄骨構造物等の現場組立においては、高力ボルト・六角ナット・平座金のセット（以下高力ボルトのセットという）による摩擦接合が一般に採用されている。高力ボルトのセットとしては、高力六角ボルトが用いられた摩擦接合用高力ボルト・六角ナット、平座金のセットと、ピンテールを有する高力六角ボルトが用いられた構造用トルシア型高力ボルト・六角ナット・平座金のセットとが、知られている。いずれのセットにおいても六角ナット及び平座金には同じものが使用される。
【先行技術文献】
【特許文献】
【０００３】
【特許文献１】  特開平７−１６７１２９号  公報
【考案の概要】
【考案が解決しようとする課題】
【０００４】  ところで、高力六角ボルトが用いられた摩擦接合用高力ボルト・六角ナット・平座金のセットにあっては、図５に示すように１本の高力六角ボルト２１と１個の六角ナット２２と２枚の座金２３，２４を用いることから、部品点数が多くなるばかりか、２枚の座金２３，２４によりボルト２１の首下長さｌが長くなり、重量が重くなると共にメッキの場合コスト高となるものであった。【０００５】  一方、ピンテールを有する高力ボルトが用いられた構造用トルシア型高力ボルト・六角ナット・平座金のセットにあっては、図６に示すように１本のピンテール３０を有するトルシア型高力ボルト３１と１個の六角ナット３２と１枚の座金３３を用いることから、締め付け軸力が安定し、締め付け終了が破断溝の破断で確認できるなどの効果が得られる反面、トルシア型高力ボルト３１の頭部３１ａがキノコ型の膨出形状となっているため、緩める必要が生じた時に、高力ボルト３１の頭部３１ａを押えて回り止めするといった作業が困難となるものであった。【０００６】  そこで、本考案は、高力ボルトの頭部形状を工夫することにより、頭部自体で座金効果を発揮させて、座金の省略化とボルト首下長さの短寸化を可能にし、しかも、独特の頭部形状により積極的に頭部強度を高めながら緩め時には該頭部の押えを可能にできる高力ボルト・六角ナット・平座金のセットの提供を課題とする。
【課題を解決するための手段】
【０００７】  上記した問題を解決するため、本願の請求項１記載の考案は、高力ボルトと六角ナットと平座金とからなる高力ボルト・六角ナット・平座金のセットであって、上記高力ボルトは、その頭部が平面視十二角形状に形成されていると共に、該頭部下部に円形のフランジ部が一体形成されており、かつ、上記頭部の高さ寸法ｈ１とフランジ部の厚みｔとの和が、ねじのＪＩＳ規格に規定される本来の頭部高さＨ寸法とほぼ同寸となるように形成されていることを特徴とする。【０００８】  また、本願の請求項２記載の考案は、請求項１記載の考案の構成に加えて高力ボルトにおけるねじ部の先端に破断溝を介してピンテールが突設されていることを特徴とする。
【考案の効果】
【０００９】  本考案の高力ボルトと六角ナットと平座金とからなる高力ボルト・六角ナット・平座金のセットによれば、上記した構成により頭部自体で座金効果を発揮させて、座金の省略化とボルト首下長さの短寸化を可能にでき、しかも、平面視十二角形状とした頭部に円形のフランジ部を一体化した独特の頭部形状により積極的に頭部強度を高めることができると共に、緩め時には該頭部の適宜工具による押えを簡単容易にかつ迅速に行うことができる。【００１０】  また、高力ボルトにおけるねじ部の先端に破断溝を介してピンテールが突設されている構成とすれば、ピンテールの破断によってトルシア型高力ボルト本来の締め付け軸力の安定化と同時に締め忘れの確認が容易にできる一方、該高力ボルトの頭部自体で座金効果を発揮させて、座金の省略化とボルト首下長さの短寸化を可能にでき、しかも、平面視十二角形状とした頭部に円形のフランジ部を一体化した独特の頭部形状により積極的に頭部強度を高めることができると共に、緩める必要が生じた時には、該頭部を適宜工具により頭部を押えて回り止めするといった作業が可能になる。
【図面の簡単な説明】
【００１１】
【図１】本考案に係る摩擦接合用高力ボルトのセットの使用状態を示す断面図である。
【図２】同高力ボルトの平面図である。
【図３】トルシア型高力ボルトのセットの使用状態を示す断面図である。
【図４】同トルシア型高力ボルトの平面図である。
【図５】従来例の説明図である。
【図６】従来例の別の説明図である。
【考案を実施するための形態】
【００１２】  以下本考案の実施の形態を図に基づいて説明する。
【００１３】  図１には、摩擦接合用高力ボルト・六角ナット・平座金のセットを使用して二枚の鋼製ワークＷ１，Ｗ２を締め付けた状態が示されている。このセットにおいて、１は高力ボルト、２は六角ナット、３は平座金である。
【００１４】  そして、上記高力ボルト１は、その頭部１ａが、図２に示すように平面視十二角形状に形成されていると共に、その下部に円形のフランジ部１ｂが一体形成され、かつ、上記頭部１ａの高さ寸法ｈ１とフランジ部１ｂの厚みｔとの和が、ねじのＪＩＳ規格に規定される本来の頭部高さＨ寸法とほぼ同寸となるように形成されている。また、フランジ部１ｂからねじ部１ｃ先端までのボルト首下長さｌは、平座金を２枚用いる従来の摩擦接合用高力ボルトに較べて平座金の厚み１枚分短く形成されている。
【００１５】  平座金３は、その軸方向量面の内周部には面取りが形成されており、この両面は互いに対称形になっている。
【００１６】  また、上記高力ボルト１及び六角ナット２には、メッキなどの適宜表面処理よって表面に潤滑皮膜が形成されている。
【００１７】  次に、上記した摩擦接合用高力ボルト・六角ナット・平座金のセットの作用効果について説明する。
【００１８】  上記高力ボルトのセットおける高力ボルト１は、その頭部１ａが平面視十二角形状に形成されていると共に、その下部に円形のフランジ部１ｂが一体形成され、かつ、上記頭部１ａの高さ寸法ｈ１とフランジ部１ｂの厚みｔとの和がねじのＪＩＳ規格に規定される本来のフランジを有しない高力ボルトの頭部高さＨ寸法とほぼ同寸となるように形成されているので、このフランジ部１ｂ付き頭部１ａ自体で座金効果を発揮させることができ、これにより座金１枚の省略化と同時に座金１枚分の厚みだけボルト首下長さｌを短寸化できる。その結果、重量を軽くできメッキを施す場合メッキコストも低減できる。しかも、頭部１ａを平面視十二角形状としたうえでこの頭部１ａに円形のフランジ部１ｂを一体化した独特の頭形状により積極的に高力ボルト１の頭部１ａ強度を高めることができながら、上記高力ボルト１のセットを緩める必要が生じた時には、高力ボルト１の頭部１ａを適宜工具により簡単容易に押えた状態で緩め作業を行うことができる。
【００１９】  また、図３及び４には、構造用トルシア型高力ボルトに本考案を適用した実施例が示され、図３において、１１はトルシア型高力ボルト、１２は六角ナット、１３は平座金、Ｗ３，Ｗ４は鋼製ワークである。
【００２０】  このトルシア型高力ボルト１１は、先に説明した高力ボルト１と同様の構成のものにピンテール１１ｆを付加したものである。具体的には、トルシア型高力ボルト１１の頭部１１ａが、図４に示すように平面視十二角形状に形成されていると共に、その下部に円形のフランジ部１１ｂが一体形成され、かつ、上記頭部１１ａの高さ寸法ｈ１とフランジ部１１ｂの厚みｔとの和が、ねじのＪＩＳ規格に規定される本来のフランジを有しない高力ボルトの頭部高さＨ寸法とほぼ同寸となるように形成される一方、トルシア型高力ボルト１１におけるねじ部１１ｃの先端に破断溝１１ｄを介してピンテール１１ｆが突設されている
【００２１】  以上のように形成するトルシア型高力ボルトのセットにあっては、トルシア型高力ボルト１１のピンテール１１ｆの破断によってトルシア型高力ボルト本来の締め付け軸力の安定化と同時に締め忘れの確認が容易にできる一方、先に説明した高力ボルト１と同様の構成により、フランジ部１１ｂ付き頭部１１ａ自体で座金効果を発揮させることができ、これにより座金１枚の省略化と同時に座金１枚分の厚みだけボルト首下長さｌを短寸化でき、重量を軽くできメッキを施す場合メッキコストも低減できる。しかも、頭部１１ａを平面視十二角形状としたうえでこの頭部１１ａに円形のフランジ部１１ｂを一体化した独特の頭形状により積極的にトルシア型高力ボルト１１の頭部１１ａ強度を高めることができ、かつ、トルシア型高力ボルトのセットを緩める必要が生じた時には、トルシア型高力ボルト１１の頭部１ａを適宜工具により簡単容易に押えた状態で六角ナットと高力ボルト１１とが一緒に共回りすることなく緩め作業を行うことができる。
【符号の説明】
【００２２】１          高力ボルト
１ａ        頭部
１ｂ        フランジ部
１ｃ        ねじ部
２          六角ナット
３          平座金
４          平座金
１１        トルシア型高力ボルト
１１ａ      頭部
１１ｂ      先端部
１１ｃ      ねじ部
１１ｄ      破断溝
１１ｆ      ピンテール
【図１】
0003174138.tif 000003
【図２】
0003174138.tif 000004
【図３】
0003174138.tif 000005
【図４】
0003174138.tif 000006
【図５】
0003174138.tif 000007
【図６】
0003174138.tif 000008